Podtech/llm-jp-corpus-v4-ja_patent huggingface dataset:
(57)【要約】【課題】防火扉対向側が視認できないために、開閉時に衝突などの危険がある。これらを回避するためのものである。【解決手段】人を検知するセンサーを扉の両側に取り付け、両方のセンサーが反応した時に警報を鳴らし、人の接近を知らせる。【選択図】図１
2015200987.tif 000002
【特許請求の範囲】
【請求項１】
人を検知するセンサーを扉の両側に取り付け、両方のセンサーが反応した時に警報を鳴らし、人の接近を知らせる。
【発明の詳細な説明】
【技術分野】
【０００１】
防火扉対向側が視認できないために、開閉時に衝突などの危険がある。これらを回避するためのものである。
【発明の概要】
【発明が解決しようとする課題】
【０００２】
防火扉対向側が視認できないために、開閉時に衝突などの危険がある。これらを回避するためのものである。
【課題を解決するための手段】
【０００３】
人を検知するセンサーを扉の両側に取り付け、両方のセンサーが反応した時に警報を鳴らし、人の接近を知らせる。
【図面の簡単な説明】
【０００４】
【図１】人を検知するセンサーを扉の両側に取り付け、両方のセンサーが反応した時に警報を鳴らし、人の接近を知らせる。
【図１】
2015200987.tif 000003
(57)【要約】【課題】自宅で電気をつくることが出来るように、太陽電池を効率よく配置、最もいい場所に、自由に置けることで、自宅で電気を供給する。【解決手段】大枠（１）に、太陽電池をとりつける枠（２）に、太陽電池（３）を設けた自宅で電気を創ることを特徴とする。【選択図】図２
2015228783.tif 000002
【特許請求の範囲】
【請求項１】
大枠の東西南北、上部に、太陽電池を設けた、どこでも電気。
設置場所、太陽電池枚数も自由に出来る。各家庭で電気が創れる。
【発明の詳細な説明】
【技術の分野】
【０００１】この発明は、狭い場所で電気を創り出す装置である
【背景技術】
【０００２】従来ある程度の電気を創るには、広い場所が必要であった。
【先行技術文献】
【０００３】
【特許文献１】
【非特許文献１】
【発明の概要】
【発明が解決しようとする課題】
【０００４】これは、次のような欠点があった。
広い場所が必要であり、又家も、太陽が当る必要があった。
本発明は狭い場所で、広い場所くらいの電気が出来、家に太陽が当らなくても少し離れたところに設置出来る、さらに、やり方によっては、ハウスなど灯油をたかず代用出来る可能性がある、以上のようなためになされたものである。自宅で電気が出来る利点もある。
【課題を解決するための手段】
【０００５】大枠（１）太陽電池をとりつける枠（２）太陽電池（３）
本発明は以上の構成よりなる。どこでも電気が創れる装置である。
【発明の効果】
【０００６】太陽電池の大きさ、枚数に応じ、狭い場所で電気ができ、家に陽が当らなくても、敷地の陽当りの良いところに置くことが出来る、たてに何枚も並べられ夏の、東、西の太陽も利用出来る。狭くても発電数量が多い。
【図面の簡単な説明】
【０００７】
【図１】本発明の骨組である。
【図２】本発明の斜視図である。
【発明を実施するための形態】
【０００８】以下、本発明を実施するための形態について説明する。
スチールなどで大枠を作る。太陽電池が３０°の角度になるような器具を取りつける。（２）太陽電池を固定する（図２）東、南、西、各２枚、上部１枚で計７枚の太陽電池が設置された場合の図である。［図２］
【符号の説明】
【０００９】１  スチールなどで作った大枠
２  太陽電池をとりつける枠
３  太陽電池
【図１】
2015228783.tif 000003
【図２】
2015228783.tif 000004
(57)【要約】【課題】  従来のイカ角は透明プラスチックや竹棒、鉛棒の後部に針を縛り付けイカを釣る。しかし、乗合船でよく使われるブランコ仕掛けでは、鯖など他の魚が食って来るのを除ける事ができない。特に飲み込まれた場合は外すのに大変な時間を要する。口に掛かっただけでも外す為に相当の深さから仕掛けを一度上げて処理しなければならない。イカのみ釣れて魚は食いつけないイカ角を提供する。【解決手段】  上述の目的を達成する本発明の構造は、通常のイカ角最後部に有る針の後ろ側に、魚の尾鰭状の魚掛かり防止装置を施す。その物は魚の尻尾に似ているが硬い為、魚の口の中、上あご、下あご、頬などに引っ掛かり違和感の為吐き出してしまう。イカの抱き付き、食いには魚の尻尾と同じ為、影響を与えず、魚のみを食いつき防止する構造としたものである。【選択図】図１
2015039372.tif 000002
【特許請求の範囲】
【請求項１】
イカ釣り用のイカ角本体後部に尻尾状の硬く薄い適度な長さの鰭を設けて、魚が食いついた時、針が咥えられないようにする。又、飲み込め無いようになる。鰭状の抵抗板を施した鯖掛かり防止イカ角。魚の尻尾状とした為、違和感無くイカの食いは損なわれない。
【発明の詳細な説明】
【技術分野】
【０００１】  本発明は、イカ釣りの時イカ角に鯖などの魚が食いつかないように工夫されたイカ角に関する。
【背景技術】
【０００２】  従来のイカ角は透明プラスチックや竹棒、鉛棒の後部に針を縛り付けイカを釣る。しかし、鯖など他の魚が食って来るのを除ける事ができない。その為に鯖係り防止対策としてかなり以前（商品名：ツノヒゲ）から有るステインレスの長い針を後向きに取り付けるものや（例えば、非特許文献１参照）、針部分に同じように後ろ向きに針を取り付けた物（例えば、特許文献１参照）がある。【０００３】    以下、図３、図４により従来の鯖掛かり防止イカ角を説明する。図３の物はかなり以前からある物で、５ツノヒゲ針を市販イカ角の１本体に合わせ２針の部分に装着し使用する。５ツノヒゲ針が邪魔で魚は飲み込むことが出来ない。図４では通常の２針に６逆さ針を付けた物である。同じく魚が飲み込むことが出来ないとされている。
【先行技術文献】
【特許文献】
【０００４】
【特許文献１】登録実用新案第３１５９２３２号
【非特許文献】
【０００５】
【非特許文献１】ｈｔｔｐ：／／ｋａｚｕｋｉｃｈｉ．ｉｎｆｏ／ｉｋａ／ｉｋａ０１．ｐｈｐ  ツノヒゲ危機一髪
【発明の概要】
【発明が解決しようとする課題】
【０００６】  上記の如く、ツノヒゲ針は魚が掛からず便利であるが装着した状態が非常に大きく使いづらい、又、船の上での装着が煩わしい。逆さ針は魚がイカ角を飲み込まないが口奥や口先に掛かる可能性が非常に高い。又、逆さ針、ツノヒゲ針は現在主流である筒式イカ角投入器に装着する場合、逆さ針が筒に引っ掛かりは入りずらい事や長いツノヒゲ針が広がり筒に入れにくいなど、非常に問題がある。【０００７】  本発明は、このように従来の構成が有していた問題を解決し、魚が掛からず、使いやすく、投入器にも普通に使え、製造も容易なイカ角を実現することを目的としたものである。
【課題を解決するための手段】
【０００８】  上述の目的を達成する本発明の構造は、通常のイカ角最後部に有る針の後ろ側に、魚の尾鰭状の魚掛かり防止装置を施し、イカの抱き着き、食いには影響を与えず、魚のみを食いつき防止する構造としたものである。【０００９】  魚が食いついた時、尾鰭の先の部分が魚の上アゴ、下アゴ、頬に突き当たる為、食う事ができず吐き出す。通常の魚だと尾鰭は柔らかい為そのまま飲み込まれるが、本イカ角は樹脂等の硬い物である為、飲み込む事や食いつく事ができない。
【発明の効果】
【００１０】  以上説明したように本発明によれば、イカ角として小さく出来て使いやすく、常時その形態で使える為、船上での装着の煩わしさも無く、魚の口先に掛かる割合も非常に低く、現在主流の筒式投入器にも問題なく使えるようになった。
【図面の簡単な説明】
【００１１】
【図１】本発明の実施の形態に係るイカ角の外観図である。
【図２】本発明を制作しやすくする為の別パーツにした図である。
【図３】以前から有る「ツノヒゲ」魚の飲み込み防止イカ角の図である。
【図４】実用新案のサバの飲み込み防止イカ角の図である。
【発明を実施するための形態】
【００１２】  以下、本発明の実施の形態を図面に基づき詳細に説明する。
【００１３】  図１、図２は本発明の実施の携帯に係り図１は魚イカ角側面図、図２は製作しやすくする為、イカ角本体と鰭部分を別パーツとした図、位置決めが出来るようにする。
【００１４】  図１の１はイカ角本体、後部に２針が有りその最後部に魚食い込み防止用の３尾鰭が有る。２針と３鰭の間に適度な長さを設ける。
【００１５】  図２に示したように作り易くする為１イカ角本体に２針を付けた後、溝が設けられた４突起に３尾鰭を装着する。
【００１６】  図２の様に３尾鰭を後で取り付ける為、３尾鰭は大サバ用などに大きさ、色合いを変えることが出来る。
【符号の説明】
【００１７】    １    イカ角本体
２    針
３    尾鰭
４    突起部
５    ツノヒゲ針
６    逆さ針
【図１】
2015039372.tif 000003
【図２】
2015039372.tif 000004
【図３】
2015039372.tif 000005
【図４】
2015039372.tif 000006
(57)【要約】【課題】  本発明は、野菜などの植物を支柱に支えて育てて行くことが栽培上欠かせないことであり、従来は植物を支柱に固定させるための作業に手数が掛かり面倒であったが、簡単で誰でもが容易に固定できるようにして能率的な管理運営を図るための野菜、園芸用ワンタッチ止め具を提供する。【解決手段】  本発明は、伸ばしたり、広げたりしても元に戻るバネの特質を生かして、バネ製針金をＳ字状に湾曲に曲げて、その両先端を支柱と植物を挟み易くし、また、植物や指先の傷を防ぐため小さな輪を設け、Ｓ字状の片方の湾曲部を支柱に挟みながらしっかりと固定できるように小さめな輪状を形成し、一方の湾曲部で植物を挟みながら支柱に固定できるように工夫したこことを特徴とする。【選択図】図１
2015039374.tif 000002
【特許請求の範囲】
【請求項１】
バネ製針金を、Ｓ字状に湾曲に曲げて、その両先端に小さな輪を設け、Ｓ字状の片方の湾曲部を支柱にしっかりと固定出来るように小さめな輪状を形成し、伸ばしたり、広げたとしても元に戻るバネの特質を生かして、野菜などの植物を成育に応じて支柱に挟むようにして誰でもが容易に固定できるように工夫したことを特徴とする野菜、園芸用ワンタッチ止め具。
【発明の詳細な説明】
【技術分野】
【０００１】  本発明は、バネ製針金をＳ字状に湾曲に曲げて、その両先端に小さな輪を設け、Ｓ字状の片方の湾曲部を支柱にしっかりと固定できるように小さめな輪状を形成し、伸ばしたり、広げたりしても元に戻るバネの特質を生かして、野菜などの植物を成育に応じて支柱に挟むことにより、誰でもが容易に固定できるように工夫したものである。
野菜、園芸の栽培上、能率的な管理の向上と併せて技術推進に役立たせるための野菜、園芸用ワンタッチ止め具に関するものである。
【背景技術】
【０００２】  従来は、野菜や花木を支柱に固定する場合は、紐類で縛り付けるか、柔らかい針金などで巻き付けるなどの方法で固定していたのが現状であった。
そのため、取り付けたり、取り外したり位置変えなどの作業に手数が掛かり面倒であった。
また、植物に傷を付けやすく、誰でもが容易に取り付けられなく、栽培上、能率的に作業や植物の管理ができないなどの問題があった。
【先行技術文献】
【特許文献】
【０００３】
【特許文献１】  特開２００１−２４５５３４号公報
【特許文献２】  特開２００２−３４３５１号公報
【特許文献３】  登録実用新案第３１０５２１９号公報
【発明の概要】
【発明が解決しようとする課題】
【０００４】  これは、次のような欠点があった。
（イ）従来は、野菜、花木などを支柱に固定する場合は、紐類で縛り付けるか、柔らかい    針金などで巻き付ける方法で固定していた。
そのため、管理、作業に手数が掛かり面倒であった。
（ロ）位置を変えたり、植物を動かしたい場合は、その都度、縛り直したり、巻き返しを    しなければならなかった。
（ハ）紐類を使った場合は、ある程度、きつく縛り付けなければならなかった。
（ニ）針金などを使った場合は、ずれが生じたりして効力が弱まる欠点があった。
（ホ）植物に傷を付け易い欠点があった。
（ヘ）後片付けでの処理に手数が掛かり面倒であった。
（ト）継続して使用できない問題があった。
（チ）野菜、園芸の栽培上、能率的な管理運営ができない問題があった。
（リ）高齢者、年少者、障害者が容易に扱えない欠点があった。
本発明は、以上の欠点を解決するものである。
【課題を解決するための手段】
【０００５】  上記の問題を解決するため、本発明は、伸ばしたり、広げたりしても元に戻るバネの特質を生かして植物を支柱にワンタッチで挟み固定できるように、バネ製針金をＳ字状に湾曲に曲げて、その両先端を支柱と植物を挟み易く、また、植物や指先の傷を防ぐために小さめな輪状を形成した野菜、園芸用ワンタッチ止め具である。
本発明は、以上の構成よりなっている。
【発明の効果】
【０００６】  本発明は、野菜、園芸の栽培の管理上、野菜や花木を支柱に誰でもが容易に固定できる。
また、植物の成育に伴って付け直し、取外し、位置変えなどの作業を簡単に行うことができる。
従来は、支柱に固定する場合は、紐類で縛り付けたり、柔らかい針金などで巻き付けたりしていたため、作業に手数が掛かり面倒であったが、挟むだけで固定できるので、誰でもが容易に扱えて、手数が掛からないことにより野菜や園芸作物の栽培上の作業や植物の管理が能率的に目的を達成することができる。
また、野菜や園芸作物の栽培ばかりでなく、趣味の家庭菜園や学校での花壇作り、実習などにも巾広く便利に活用することができる。
さらに、何度でも継続的に使用でき、植物に傷を付けず後片付けの作業にも処理し易いため、栽培上の便利はもちろんであるが、今後の農業、園芸の技術向上に欠かせない効果がある。
他にも、緑化を推進して、生活の環境を良くするためにも大変役立ち、いろいろな面で活用できるものである。
【図面の簡単な説明】
【０００７】
【図１】  本発明の斜視図である。
【図２】  本発明の使用状態を示した説明図である。
【発明を実施するための形態】
【０００８】  以下、本発明の実施の形態について説明する。
（イ）バネ製針金（１）を、Ｓ字状に湾曲に曲げて、その両先端に小さな輪（２）、小さ    な輪（２´）を設ける。
（ロ）Ｓ字状の片方の湾曲部を支柱にしっかりと固定できるように小さめな輪状を形成す    る。
本発明は、以上の構成よりなっている。
本発明を使用するときは、両先端の小さな輪を活用してＳ字状の小さめな湾曲部の輪を支柱に挟み、同時に一方の湾曲部で植物を挟みながら固定する。
いままでになかった方法で簡単に処理ができて、野菜、園芸の栽培上、能率的な管理運営と技術向上を図ることができる。
【符号の説明】
【０００９】    １    バネ製針金
２    小さな輪
２´  小さな輪
【図１】
2015039374.tif 000003
【図２】
2015039374.tif 000004
(57)【要約】【課題】家具類の隅の曲率半径が小さくても見栄えのする衝撃緩和用のエッジ材を得、手、腕、頭などが当たっても怪我のないようにする。【解決手段】家具類の端部に用いられるエッジ材９であって、前記エッジ材９は、硬質部５と軟質部１からなり、前記軟質部１は略Ｔ字形であり、上部に幾分凹み２を形成する。硬質部５と軟質部１で囲まれた部分は中空にする。このエッジ材９を家具類の端部に周回させ、突合せをする際には中空部３に充填材料を詰める。【選択図】図１
2015039453.tif 000002
【特許請求の範囲】
【請求項１】
家具類の端部に用いられるエッジ材９であって、前記エッジ材９は、硬質部５と軟質部１からなり、前記軟質部１は略Ｔ字形であり、上部は幾分凹み２が形成されてなることを特徴とするエッジ材。
【請求項２】
請求項１記載のエッジ材９を家具類の端部に周回させ、突合せをする際には中空部３に充填材料を詰めることを特徴とするエッジ材の取り付け方法。
【請求項３】
前記充填材料は繊維質材料と接着剤であることを特徴とする請求項２記載のエッジ材の取り付け方法。
【発明の詳細な説明】
【技術分野】
【０００１】
本発明はテーブル、机、カウンター等の家具類の端部に使用されるエッジ材に関する。
【背景技術】
【０００２】
これまで衝撃緩和用のエッジ材として図４に示すようなものが知られている。
【特許文献１】実開昭６２−１０７７３１号公報
【特許文献２】実開昭６２−１４６８９１号公報
【特許文献３】実開平６−５８７２６号公報
【特許文献４】特開２０１３−６８０２８号公報
【特許文献５】特開２０１３−６７１２５号公報
【発明の概要】
【発明が解決しようとする課題】
【０００３】
しかしながら、家具類の隅の曲率半径が小さいと衝撃緩和用のエッジ材を周回する際に矢じりの頭部が図５に示すように出っ張り、直線部と曲線部の形状に差が生じやすく見栄えがしないという欠点があった。
【課題を解決するための手段】
【０００４】
本発明はかかる状況に鑑み検討されたもので、家具類の端部に用いられるエッジ材９であって、前記エッジ材９は、硬質部５と軟質部１からなり、前記軟質部１は略Ｔ字形であり、上部は幾分凹み２が形成されてなることを特徴とするエッジ材である。
【発明の効果】
【０００５】
本発明によれば矢じりの頭部が出っ張ることもなく、Ｔ字形の軟質部の上部は幾分凹んでいるため衝撃力が加わっても左右の中空形状に衝撃が伝わりやすい。以下、本発明を図面に基づいて詳細に説明する。
【発明を実施するための最良の形態】
【０００６】
図１は本発明のエッジ材９の断面図であり、全体的には略花はさみ形状で硬質部５と軟質部１からなり、硬質部５と軟質部１で囲まれた部分は中空であり、緩衝効果がある。このエッジ材９はＴＰＯ（サーモポリオレフィン）を共押し出ししたものである。ＴＰＯは常温ではエラストマー（弾性体）であり、ゴムのような性質を有する。
【０００７】
略Ｔ字形の軟質部１の硬度はＪＩＳ  Ｋ  ６２５３に基づくショアＡ硬度で４０〜６０であり、上部中央に向かって幾分凹み２が形成されており、手、腕、頭などが当たっても中空形状で衝撃が緩和される。
【０００８】
中央部に矢じり６が突出した硬質部５は硬度はＪＩＳ  Ｋ  ６２５３に基づくショアＡ硬度で７０〜９０であり、軟質部１と硬質部５の硬度を前記の範囲とすることに軟質部１の凹み２により、家具類の４隅の曲率半径が小さくても曲げ部おいてエッジ材の硬質部５が出っ張りにくい。
【０００９】
詳しく述べると、前記の凹み２は軟質部１の両端の凸部４の最高高さに対して５％〜１５％程度凹んでいるのが好ましく、下限未満では曲げ部おいてフラットになりうる為、直線部分と、曲げ部分の外観の差が出てしまいやすく、上限を超えると、軟質部１の両端の凸部４が突っ張り取り付け加工をしにくくなりやすい。
【００１０】
また、硬質部５は図１に示されるように中央部分が幾分盛り上がっており、弓なり状になっており、盛り上がり部７を有する。弓なり状にすることにより家具類の端部との密着が強固になり、水分が浸入することがない。
【００１１】
エッジ材９を家具類の端部に周回させ、突合せをする際には中空部３に発泡樹脂や紙、布などの充填材料や接着剤を注入することが好ましい。こうする事により継ぎ目に段差が生じにくく、継ぎ目が剥がれることがない。
【００１２】
特に、紙、布などの繊維質材料のものは、接着剤を吸収しやすく接着面積も大きくなり、適度な硬さを有することから好ましく、本発明では紙製の一定形状材料を詰め、接着剤を塗布している。樹脂部材では充填部に接着面積の増大を期待出来ず、継ぎ目部分の接着が弱くなりやすい。充填する繊維質材料は、充填した際のエッジ材硬度がＪＩＳ  Ｋ  ７３１２にもとづくＡＳＫＥＲ  Ｃ硬度で４０〜６０となるものが望ましい。下限に満たないと、柔らかすぎ凹みやすく、上限を超えると硬く成り過ぎて手、腕、頭などが当たっ際にケガをしやすい。
【００１３】
本発明のエッジ材を家具類に適用する際には、家具類の基材として、木質繊維板としては比重が０．６〜１．０のものが使用でき、例えば、中質繊維板（ＭＤＦ）、硬質繊維板（ＨＤＦ）等を好適に使用することができる。ここで、木質繊維板は、方向性がなく、また合板用の単板と異なり、裏割れがなく、平滑性に優れていることから好ましい。基材の表裏には化粧材が接着加工される。
【図面の簡単な説明】
【００１４】
【図１】エッジ材の断面図。
【図２】エッジ材の使用状態を示す断面図。
【図３】エッジ材の継ぎ目を示す断面図。
【図４】従来のエッジ材の使用状態を示す直線部の断面図。
【図５】従来のエッジ材の曲線部の断面図。
【符号の説明】
【００１５】
１  軟質部
２  凹み
３  中空部
５  硬質部
４  凸部
６  矢じり
７  盛り上がり部
９  エッジ材
１０  出っ張り
【図１】
2015039453.tif 000003
【図２】
2015039453.tif 000004
【図３】
2015039453.tif 000005
【図４】
2015039453.tif 000006
【図５】
2015039453.tif 000007
(57)【要約】【課題】マグネットをチャックする際に、磁力の影響を受けずに確実な保持ができて、配置する際にも、意図する前にチャックから外れてしまうのを防ぎ、正確な位置への配置を可能とする。【解決手段】クランプ方式のチャックに加えて、磁性体プレートをマグネットに吸着させることで、マグネット確実に保持することができ、ピックアップ及びプレイスの際の相手側への吸着の影響を排除することができる。【選択図】図１
2015039741.tif 000002
【特許請求の範囲】
【請求項１】
マグネットをチャックする際に、クランプ式のチャックと合わせて磁性体プレートをマグネットに吸着させることで、磁力の影響を受けずに確実な保持ができるチャック方式。
【発明の詳細な説明】
【技術分野】
【０００１】
本発明は、マグネットの磁力の影響を受けずに、確実にピックアップ及びプレイスができるチャック装置に関するものである。
【背景技術】
【０００２】
マグネットの収納は、個々のマグネットの磁力の影響で反発、吸引の作用を防ぐために、磁性体プレートの上に置かれており、クランプ方式のチャックでのピックアップが一般てきである。
【０００３】
しかし、クランプ方式でのチャックの場合には、磁性体プレートからのスムーズなピックアップが困難であり、チャック姿勢の傾きが発生する。
【０００４】
マグネットを基準位置にプレイスする場合は、プレイス位置が磁性体であると、磁力によって意図する前に、チャックから外れて貼りついてしまうために、クランプ力を強くする必要がある。
【発明の概要】
【発明が解決しようとする課題】
【０００５】
マグネットを磁性体に貼りついている状態からピックアップする時に、クランプ方式でのチャックでは磁力の影響で確実なピックアップが難しい。
【０００６】
マグネットを基準位置にプレイスする時に、クランプ方式のチャックでは、意図する前にチャックから外れて、対象物へ貼りついてしまい、正確な位置決めが難しい。
【課題を解決するための手段】
【０００７】
本発明は、サイドからのクランプに加えて、マグネット上面に磁性体プレートを吸着させる機構を設けることで、チャック保持力を確保して、確実なピックアップ及びプレイスをすることができる。
【発明の効果】
【０００８】
本発明のチャック装置でマグネットを磁性体プレートから確実にピックアップすることが可能となり、チャック姿勢の変化も防止することができる。
【０００９】
本発明のチャック装置でマグネットをプレイスすることで、意図する前にチャックから外れて対象物へ吸着してしまうことを防ぐことができ、正確な位置決め配置が可能である。
【図面の簡単な説明】
【００１０】
【図１】図１はマグネットをクランプしている状態を示した正面図である。
【図２】図２はマグネットをクランプしている状態を示した側面図である。
【図３】図３はマグネットのアンクランプ状態を示した正面図である。
【発明を実施するための形態】
【００１１】
以下、本発明によるチャック方法を図面を基に説明する。
図１、図２は、マグネットをクランプしている状態を示しており、マグネット４をクランプチャック１を閉じてクランプをして、その後、磁性体プレート上下アクチュエータ２により、磁性体プレート３を下降させて、マグネット４に吸着させる。
【００１２】
クランプチャック１と磁性体プレート３との両方を利用することで、マグネットは確実に保持される。
【００１３】
図３は、マグネットのアンクランプ状態を示しており、磁性体プレート上下アクチュエータ２により、磁性体プレート３を上昇させ、その後、クランプチャック１を開いて、マグネットを解放する。
【００１４】
マグネット４と磁性体プレート３との吸着及び分離する際の磁力の影響は、クランプチャック１の先端形状に肩を付けることで、マグネット４の浮き上がりを防止する。
【符号の説明】
【００１５】
１ クランプチャック
２ 磁性体プレート上下アクチュエータ
３ 磁性体プレート
４ マグネット
【図１】
2015039741.tif 000003
【図２】
2015039741.tif 000004
【図３】
2015039741.tif 000005
(57)【要約】【課題】従来技術では、マナーモードの自動設定変更は設定した個別の時間又はスケジュール依存の自動変更が念頭に置かれており、例えば休日に想定外の出勤が入るなどの、急なスケジュール変更の際には対応できないか、過去の設定履歴から探す煩わしさがあった。本発明は、携帯電話等のマナーモード設定を、一日の行動パターンごとにタイムスケジュールを設定・選択することで、簡単かつ柔軟に一日のマナーモード設定を設定することを目的とする。【解決手段】上記課題を解決するために、本発明では、”休日”や”学校”等の名称が付けられた一日の行動パターンごとにマナーモードのタイムスケジュールを設定し、それを通常マナーやサイレントマナーなどと同列の設定画面にて選択できるようにする。【選択図】図１
2015039098.tif 000002
【特許請求の範囲】
【請求項１】
情報通信によって接続された相手端末からの着信を、マナーモード等の着信音以外の方法で知らせる機能を有する携帯通信端末において、作成・登録された一日の行動パターン設定ごとに着信モードを変更する時間帯を一つ又は複数登録し、選択された行動パターン設定に従い自動で着信設定を変更する機能を有する携帯通信端末
【発明の詳細な説明】
【技術分野】
【０００１】本発明は、携帯電話等のマナーモードに設定を、一日のタイムスケジュールごとに設定・選択することで、簡単に一日のマナーモード設定を行うことを目的とする。
【背景技術】
【０００２】一般に、タブレット端末や携帯電話の着信時には着信音で使用者に知らせるが、学校、仕事場等の着信音を作動させることが好ましくない場所では、バイブレータによるマナーモードに設定しておくことが多い。また、学生や労働者が、マナーモードに設定しておきたい時間は、一日の中の行動パターンごとにほぼ決まっている。【０００３】そこで、自動的に着信動作を切り替えるスケジュール管理技術が従来より存在するが（特許文献１及び２参照）。特許文献１記載の技術では、利用者の各時間・環境のスケジュールを登録し、それに対応させた着信動作を登録、着信時に登録されている時間・環境を参照し、参照したデータ基づいた着信設定で着信を知らせるシステムである。【０００４】また、特許文献２記載の携帯電話では、登録されたスケジュールの日時・時刻になると、そのスケジュールに登録されている設定モードへ自動的に移行するシステムであり、利用者のスケジュール登録と連動したマナーモードに設定することができる。【０００５】また、利用者がマナーモードに設定した履歴から、自動的にマナーモードのスケジュールを作成するようにした技術も知られている（特許文献３参照）。この特許文献３記載の技術では、マナーモードに設定された時間帯のを記録し、日付更新時に記録した履歴を基に今日一日のマナーモードのスケジュールとしてマナーモードにすべき時間帯を作成するシステムである。【０００６】また、折畳み型携帯電話機において、開閉状態により着信時の着信設定をスケジュール管理するようにした技術も従来より知られている（特許文献４参照）。この特許文献４記載の技術では、時間、曜日単位で着信設定を管理することができる。【０００７】更に、着信方法以外の機能を予め登録した時間、曜日、週、月又は祝日単位で自動的に切り替え得る技術も従来より知られている（特許文献５参照）。【０００８】本発明は、従来のような設定した時間、曜日等の時間単位でマナーモードを設定するのではなく一日の行動スタイルごとにあらかじめマナーモードのタイムスケジュールを設定し、より柔軟かつ手軽にマナーモード設定の切り替えを行うものである。
【特許文献１】特開２００１−１８９７７４号公報
【特許文献２】特開２００１−２５１３９５号公報
【特許文献３】特開２００４−２５３９８０号公報
【特許文献４】特開２００３−２４４２７９号公報
【特許文献５】特開２００６−２１７２８４号公報
【発明の概要】
【発明が解決しようとする課題】
【０００９】しかし、従来の特許文献１〜５にみられる技術では、マナーモードの自動設定変更は設定した個別の時間又はスケジュール依存の自動変更が念頭に置かれており、例えば休日に想定外の出勤が入るなどの、急なスケジュール変更の際には対応できないか、過去の設定履歴から探す煩わしさがあった。
【課題を解決するための手段】
【００１０】上記課題を解決するために、本発明は”休日”や”学校”等の名称がつけられた一日の行動パターンごとにマナーモードのタイムスケジュールを設定し、それを通常マナーやサイレントマナー等と同列の選択画面にて、モードを選択できるようにする。
【発明の効果】
【００１１】本発明は次のような効果を奏する。
本発明は、手軽に一日のマナーモードの時間設定パターンを変更できるようにする。
例えば、学生が一日のうち授業時間中はサイレントマナーモードに設定し、休み時間のみ通常マナーモードになるよう行動パターン別の時間設定（図２参照）をしておけば、マナーモードの選択画面内に表示される”学校”、”バイト”等といった設定項目（図１参照）を選択するだけで、手軽にマナーモードの時間設定パターンが変更できるようになる。
【図面の簡単な説明】
【００１２】
【図１】行動パターン別マナーモードを選択できる選択画面のイメージ図である。なお、図１に示した設定や構成の例は一例であり、構成は適宜変更できることは言うまでもない
【図２】行動パターン別マナーモード設定のマナーモード設定時間帯を登録するタイムスケジュールのイメージ図である。なお、図２に示した設定や構成の例は一例であり、構成は適宜変更できることは言うまでもない
【発明を実施するための最良の形態】
【００１３】以下、本発明の実施の形態を図面に基づき詳細に説明する。
本発明は、スマートフォン等の移動式携帯端末の図１のようなマナーモード設定画面にて、通常マナー、サイレントマナー等の選択項目の一つとして行動パターンごとの設定を追加で登録する。【００１４】追加登録する際に、図２のような一日のタイムスケジュールを表示させ、マナーモードを設定したい時間帯や作動モードを登録する。
その際には、自由に設定の登録名称を付ける事が出来る。
登録の際は、一日のタイムスケジュールを表示する以外にも、登録した時間帯設定のみを表示させてもよい。【００１５】使用者は、登録されたマナーモード設定を、通常マナーやサイレントマナーといった設定と同列に図１のようなマナーモード設定画面で選択する。【００１６】設定を変更された移動式携帯情報端末はタイムスケジュールに従って、自動的にマナーモードの設定の変更を行う。
【符号の説明】
【００１７】１  マナーモード設定項目
２  ラジオボタン
３  ２４時間タイムスケジュール
４  設定時間帯
５  時間
【図１】
2015039098.tif 000003
【図２】
2015039098.tif 000004
(57)【要約】【課題】吸音材の厚みの増大化等を伴わずに吸音性能を高められる車両用内装材の提供を図る。【解決手段】略帯状に形成した吸音材２の中央に長さ方向にスリット３を設定し、その両側にねじれ部４を形成して表面を長さ方向に連続した凹凸形状とする。これにより、吸音表面積が増大し、しかも、トリム材１との間に遮音層となる背後空気層Ｓが形成される。結果、吸音材２の吸音性能が向上するとともに、背後空気層Ｓによる遮音効果が得られる。【選択図】図１
2015039929.tif 000002
【特許請求の範囲】
【請求項１】
トリム材の裏面に弾性を有する吸音材を配設した構造であって、
前記吸音材は略帯状に形成してその中央に長さ方向にスリットを設定し、該スリットの両側にその形成長さにねじれ部を形成して、該ねじれ部により表面を長さ方向に連続した凹凸形状に形成したことを特徴とする車両用内装材。
【請求項２】
前記吸音材の長さ方向両端部に係止部を穿設し、該吸音材を伸張して前記係止部を前記トリム材に所要の間隔をおいて突設した係止突起に挿通係着して、これら係止突起間に跨って張設したことを特徴とする請求項１に記載の車両用内装材。
【発明の詳細な説明】
【技術分野】
【０００１】
本発明は、自動車のドアトリムやバックドアトリム等に代表される車両用内装材に関する。
【背景技術】
【０００２】
自動車の車室側のパネル面を被覆して配設される車両用内装材の中には、例えば、特許文献１、特許文献２に示されているように、型成形された合成樹脂製のトリム材の裏面に吸音材を配設して、車外の騒音をその吸音材で吸収して車室内への透過音を小さく抑制するようにしたものが知られている。
【先行技術文献】
【特許文献】
【０００３】
【特許文献１】特開２００４−６６８８６号公報
【特許文献２】特開２００５−６７５２８号公報
【発明の概要】
【発明が解決しようとする課題】
【０００４】
車両用内装材の吸音性能を高めるためには、吸音材の厚みや敷設面積を増大するか、吸音性能に優れた材料を選択する必要があってコスト的に不利となってしまうことは否めない。
【０００５】
そこで、本発明は吸音材の厚みや敷設面積の増大化、あるいは高価な吸音材の使用を伴うことなく吸音性能を高めることができる車両用内装材を提供するものである。
【課題を解決するための手段】
【０００６】
本発明の車両用内装材は、トリム材の裏面に弾性を有する吸音材を配設してあって、この吸音材は略帯状に形成してその中央に長さ方向にスリットを設定し、該スリットの両側にその形成長さにねじれ部を形成し、該ねじれ部により表面を長さ方向に連続した凹凸形状に形成したことを主要な特徴としている。
【発明の効果】
【０００７】
本発明によれば、スリットの両側に形成したねじれ部により吸音材の表面を長さ方向に連続した凹凸形状とすることによって表面積が増大することに加えて、ねじれ部によってトリム材と吸音材との間に吸音層となる背後空気層が形成される。
【０００８】
これにより、吸音材の厚みや敷設面積の増大化、あるいは高価な吸音材料の使用を伴うことなく吸音性能を高めることができる。
【図面の簡単な説明】
【０００９】
【図１】本発明の一実施形態のドアトリムを裏面側から見た説明図。
【図２】図１のＡ―Ａに沿う断面説明図。
【図３】吸音材のねじれ部の形成工程を（Ａ），（Ｂ）にて示す説明図。
【発明を実施するための形態】
【００１０】
以下、本発明の一実施形態をトリム材として自動車のドアトリムを例に採って図面と共に詳述する。
【００１１】
図１に示す本実施形態のドアトリム１は、適宜の合成樹脂材をもって射出成形などにより型成形され、その裏面には吸音材２を配設してある。
【００１２】
吸音材２は、フェルト，グラスウール，樹脂繊維の集合体、あるいはポリウレタンのような連続気泡をもつ発泡体といった弾性を有する多孔質材料が選択的に用いられる。
【００１３】
このような多孔質材料は、一般に、面密度が３００ｇ／ｍ２、厚さが５ｍｍ〜３０ｍｍのものを使用することで、優れた吸音性能が得られることが知られている。
【００１４】
また、吸音材２として、上述の多孔質材料を単体として用いる他、多孔質材料の表面に、例えば、面密度１５〜３００ｇ／ｍ２の低通気性不織布や、面密度３０〜１００ｇ／ｍ２のポリエチレンフィルム、といった表面保護材を設けた多層構造のものを用いることができる。
【００１５】
本実施形態では、上述の吸音材２を所要の上下幅の略帯状に形成して、ドアトリム１の裏面に上，下２段に近接して配置してある（図１では、便宜的に上段の吸音材２のみを示す）。
【００１６】
吸音材２は、何れもその中央に長さ方向、つまり、車両前後方向にスリット３を設定し、該スリット３の両側にその形成長さにねじれ部４を形成して、該ねじれ部４により表面を長さ方向に連続した凹凸形状としている。
【００１７】
上述のねじれ部４は、図３（Ａ）に示すように略帯状の吸音材２の中央に長さ方向に任意の長さでスリット３を形成し、そして、一方の端部を反転してこのスリット３に中通しすることによって、図３（Ｂ）に示すようにスリット３の両側にねじれ部４を対称的に形成することができる。
【００１８】
吸音材２の長さ方向両端部には、小孔または十字スリット等の係止部５を穿設してある一方、ドアトリム１の裏面には吸音材２の長さ方向両端部に対応する部分に係止突起６を突設してあり、吸音材２を自体の弾性により伸張して係止部５を係止突起６に挿通係着して、これら係止突起６，６間に跨って張設してある。係止突起６に抜け止め用の返しを設けることにより、吸音材２の脱落防止を確実なものとすることができる。
【００１９】
以上の構成からなる本実施形態によれば、略帯状に形成した吸音材２の中央に長さ方向にスリット３を設定し、その両側にねじれ部４を形成して表面を長さ方向に連続した凹凸形状とすることにより、表裏両面を音の吸収面に利用できて音を吸収する表面積が増大する。また、これに加えて、表面の凹凸形状によりドアトリム１の裏面との間に吸音層となる背後空気層Ｓが形成される。
【００２０】
これにより、吸音材２の厚みを増したり、敷設面積を増大したり、あるいは高価な吸音素材を使用しなくても吸音性能を高めることができる。
【００２１】
なお、トリム材は、サイドドアトリム、リアサイドトリム、バックドアトリム、ルーフトリム等であってもよい。また、ねじれ部４はねじれが複数連続したものとすることも可能である。
【符号の説明】
【００２２】
１…ドアトリム（トリム材）
２…吸音材
３…スリット
４…ねじれ部
５…係止部
６…係止突起
【図１】
2015039929.tif 000003
【図２】
2015039929.tif 000004
【図３】
2015039929.tif 000005
(57)【要約】      （修正有）【課題】小型発電機に使用する水の濾過槽の砂利層に汚物、泥、等が詰まった場合の洗浄を容易に行う。【解決手段】水路のＵ字溝１に砂利層６を入れて濾過槽とし、砂利層内部に有孔管４を設け有孔管４に導水管５を接続した濾過槽であって、上記濾過層を遮蔽板３により水の流れを２分割して左右２槽に区切り、仕切り板２により、左右２槽の水位を交互に変え、低水位とした一方の槽では有孔管４から水が逆流することにより、汚物、泥などを下流に流す。【選択図】図１
2015039699.tif 000002
【特許請求の範囲】
【請求項１】
濾過装置の水路を縦に遮蔽板に依り二分割し交互に水位の差を利用して濾過槽の洗浄を行い連続使用する方法。
【発明の詳細な説明】
【発明の詳細なる説明】
本発明は水力を利用し小型発電機に使用する水を濾過しながら濾過槽の洗浄を行う装置で、構造を説明しますと、図一、図二、図三、（１）は、水路のＵ字溝、図一、図二、（２）は濾過装置の右、左、の槽に川の流れを変える仕切り板、図一、図二、図三、（３）は、水路の中心に縦に水の流れを二分割し水位を変える遮蔽板、図一、図二、図三、（４）は、有孔管で濾過槽の右、左、が同通。図一、図二、図三、（５）は、濾過された水の導水管、図一、図二、図三、（６）は、水を濾過する砂利層、図一、図二、図三、（７）は、水位を右、左、の槽に変える遮蔽板、              仕組みを説明しますと。図一、図二、（２）の遮蔽板を右、左、どちらかに差し込むと片方から図一、図二、図三、（１）、の濾過槽に流れ、図一、図二、図三、（７）の水位を調節する遮蔽板を差し込むと、差し込んだ方の水位が上がり、図一、図二、図三、（６）の砂利層を通り濾過され、図一、図二、図三、（４）の有孔管を通り、図一、図二、図三（５）の導水管に流れると共に濾過槽の反対側は水位が低いので水位の差に依り水が噴出し泥等を下流に流し右、左を交互に使用する事に依り連続使用が出来る仕組みです。
【産業上の分野】
山間、僻地の道路、公園等の照明。
【背景技術】  濾過装置の有孔管が一本の場合濾過装置の砂利に汚物泥、が詰まり、洗浄に手間がかかり効率が悪い。
【発明が解決しようとする課題】
濾過装置の砂利の清掃に手間がかからない様にする。
【課題を解決しようとする手段】
濾過装置を縦に流れを二分割し有孔管が右、左、同通している為遮蔽板に依り水位の差を利用し交互に水位を変える事により水位の低い方の有孔管内の水は逆流するので、汚物、泥水等を下流に流し右、左、交互に使用する事に依り連続使用が出来ます。
【実施例】    濾過槽に使用した砂利の洗浄をしなくてすみます。
【発明の効果】
水量の多い、少ないで効果に差が出来、多い方が効果が有ります。
【図面の簡単な説明】
【図１】平面図
【図２】側面図
【図３】断面図
【図１】
2015039699.tif 000003
【図２】
2015039699.tif 000004
【図３】
2015039699.tif 000005
(57)【要約】      （修正有）【課題】医療用超音波診断装置を用い、血管留置針やブロック針の長軸断面を容易に描出する装置を提供する。【解決手段】医療用超音波診断装置のプローブに直線を描くレーザー照射装置１０を取り付け、超音波プローブ側面正中線上かつ超音波プローブ側面の正中を結ぶ延長線上にレーザー照射によって描かれる直線を重ねるようにセットする。針の刺入位置は超音波プローブ側面の正中線上でプローブに近いところである。レーザーで描く細い直線上に針の柄が重なるように針を刺入すると、針の長軸断面を描出することができる仕組みである。レーザーで描く細い直線に針の柄が重なるように刺入することで針の長軸像を描出する技術が向上することを特徴とする。【選択図】図１
2015039624.tif 000002
【特許請求の範囲】
【請求項１】
直線を描くレーザー装置１０を超音波プローブに装着して、針の長軸断面の超音波画像描出の技術が向上する装置。
【請求項２】
超音波走査面と重なり合うレーザー光の直線を得るために、請求項１に記載の直線を描くレーザー照射装置１０をプローブ側面の正中線上２４に設置し、かつレーザーにより描かれる直線１６をプローベ側面の正中線上２４と超音波プローブの両方の側面の正中線と皮膚が接する点２６を結ぶ延長線上２８に重ねる方法。
【請求項３】
請求項２の方法でセッティングしたレーザー光の直線１６と針１８を重ねながら刺入することで針の長軸断面の超音波画像描出の技術が向上することを特徴とする方法。
【発明の詳細な説明】
【技術分野】
【０００１】この発明は医療用超音波画像描出において、医療用針の長軸断面を描出しやすくするための方法および装置である。
【背景技術】
【０００２】従来、医療用超音波装置を用いて医療用針の長軸断面を描出するガイドはプローブに固定するアタッチメントタイプであった。
【先行技術文献】
【特許文献】
【０００３】
【特許文献１】特開２００１−１２０５５３号公報
【発明の概要】
【発明が解決しようとする課題】
【０００４】これは次のような欠点があった
（ａ）  固定式のガイドは角度が段階的固定されており、任意で針の刺入角度を調節できなかった。
（ｂ）  生検などの血管留置針などカニュレーションする場合は利用できない。
（ｃ）  超音波画像上で長い針の長軸断面を描出することは技術的に困難である。
というのは超音波装置の走査面に対し平行に重なるように針を刺入する必要がある。図４参照。走査面は無数のエコービームのから構成されている。針の長軸断面増を描出するには無数のエコービームのベクトル２２が針１８と交わる必要がある。超音波プローブをわずかに傾けても、針の刺入方向がねじれの位置になったり走査面から外れたりし、描出ができなくなる。
本発明は以上のような欠点を解決するためになされたものである。
【課題を解決するための手段】
【０００５】直線を描くレーザー照射装置を超音波プローブの側面正中線上２４に設置する。直線を描くレーザー照射装置より照射され描出された直線１６をプローベ側面の正中線２４上に合わせ、かつ超音波プローブの両方の側面の正中線と皮膚と接する点２６を結ぶ線の延長線２８上に重ね合わせる。超音波プローブの両方の側面の正中線と皮膚と接する点を結ぶ線は超音波の走査面２０と平行に重なり、超音波プローブ側面の正中線２４もまた超音波走査面２０に平行に重なる。ゆえにレーザーよって描かれる直線は超音波走査面２０に重なる。図３、図４参照。【０００６】レーザーが描く約１ｍｍ程度の直線上に針１８の柄が重なるように皮膚を刺入すると、針の刺入方向は超音波走査面２０に重なり、針の長軸断面を超音波画像で描出できる仕組みである。【０００７】本発明の方法により針の長軸断面を描出する技術が向上する。さまざまな刺入角度であっても針の長軸断面を描出する技術が向上する。
【発明の効果】
【０００８】超音波プローブを左右に傾けても、医療用超音波診断装置の走査面とレーザー照射による直線は重なるので、レーザーで描く直線に針の柄が重なるように針を刺入すると、針の長軸断面を描出する技術が向上する。超音波プローブの傾きによらず、針の長軸断面を描出する技術が向上する。この方法および装置は動脈および静脈のカニュレーションに使う留置針でも利用できる。様々な刺入角度でも針の長軸断面を描出できる。
【図面の簡単な説明】
【０００９】
【図１】本発明をプローブ側面に設置した正面図である。
【図２】本発明をプローブ側面に設置した側面図である。
【図３】本発明のレーザー照射時の図である。
【図４】超音波画像で針の長軸断面を描くためには超音波走査面上に針を進める、つまりは針をエコービームと交わりながら進めてゆく必要性を示したベクトル図である。
【発明を実施するための最良の形態】
【００１０】以下、本発明を実施するための形態について説明する。
箱１２に直線レーザー光発射装置１０を設ける。直線を描くレーザー照射装置は超音波プローベ側面の正中線に設置する。図１、図２参照。【００１１】これを使用するときは、レーザーで描かれた直線がプローベ側面の正中上に重なるように、かつ、超音波プローブの両方の側面の正中線と皮膚と接する点２６を結ぶ線の延長線２８上に重なり合うように調節しておく。針の刺入はプローブと直線にレーザー光の交点付近から刺入する。針の柄を直線レーザー光に重ねながら針を進めてゆく。図３参照。【００１２】  これは動脈カニュレーション、静脈カニュレーション、中心静脈カニュレーション、神経ブロックなど、針の長軸断面描出する必要がある手技において、針の長軸断面を描出する技術が向上する。
【符号の説明】
【００１３】１０…直線を描くレーザー照射装置、１２…ボックス、１４…超音波プローブ正面、１５…超音波プローブ側面、１６…レーザー光で描かれた直線、１８…医療用の針、２０…超音波走査面、２２…コービームのベクトル、２４…超音波プローブの側面の正中線、２６…プローブ側面の正中線上と皮膚の接点、２８…プローブ側面の正中線上と皮膚の接点を結んだ線の延長線、３０…針とエコービームの交点  ３２…皮膚
【図１】
2015039624.tif 000003
【図２】
2015039624.tif 000004
【図３】
2015039624.tif 000005
【図４】
2015039624.tif 000006
(57)【要約】      （修正有）【課題】停電等で動作途中にて電源を断たれた場合、再投入にて任意の方向から再起動させることができるリレー回路を提供する。【解決手段】起動時には駆動制御部に直接電源を印加し起動後に切り離して往復動作へと切り替える。【選択図】図１
2015225850.tif 000002
【特許請求の範囲】
【請求項１】
当該結線の起動動作を行う事項並びに動作実現に関する回路構成全般
【発明の詳細な説明】
【図面の簡単な説明】
【０００１】
【図１】起動時には駆動制御部に直接電源を印加し起動後に切り離して往復動作へと切り替える。
【図１】
2015225850.tif 000003
(57)【要約】【課題】  ＬＥＤ点灯装置から発生するノイズが法規格を満足していても、高ければ他の電子機器などの誤動作を引き起こしたり、逆に他の機器からのノイズを受けてＬＥＤ点灯装置自体が誤動作したり、故障することがある。これを防止したＬＥＤ点灯装置を提供する。【解決手段】  ＬＥＤ点灯装置の制御電源内に雑音端子電圧を法規格内に収めるノイズフィルタを内蔵し、ノイズの低減が必要な雰囲気では交流電源とＬＥＤ制御電源の間に外部フィルタを接続するようにした。【選択図】図１
2015225852.tif 000002
【特許請求の範囲】
【請求項１】
ＬＥＤ点灯装置の制御電源内に雑音端子電圧を法規格内に収めるノイズフィルタを内蔵し、交流電源とＬＥＤ制御電源の間に外部フィルタを接続することにより約１０ｄＢ／μＶ以上の雑音端子電圧が低減するＬＥＤ点灯装置。
【発明の詳細な説明】
【技術分野】
【０００１】  本発明は、ＬＥＤ点灯装置の雑音端子電圧の低減に関するものである。
【背景技術】
【０００２】  ＬＥＤ負荷を点灯させる制御電源は、半導体等を用いて高速で電流を導通、遮断する動作を行うため、ノイズを生じる。【０００３】  発生したノイズは、他の機器に対して誤動作、雑音発生などの悪影響を及ぼすため除去する必要がある。その為、一般に電源端子とインバータ回路との間に、コイルとコンデンサから構成されたノイズフィルタが設けられている。【０００４】  図２は、従来から一般に使用されているＬＥＤ点灯装置の一実施例を示すブロック図である。交流電源とインバータ回路との間に、コイルとコンデンサにより構成されたノイズフィルタが設けられ、インバータ回路で所定の電圧に変換され、ＬＥＤ負荷に供給される。【０００５】  インバータ回路はトランジスタなどのスイッチング素子で高周波を発生させているため、ノイズが発生する。【０００６】  このノイズは、内蔵されているノイズフィルタで軽減されるため、交流電源に戻るノイズは雑音端子電圧規格を満足する値に制限される。【０００７】  一般には、雑音端子電圧規格を満足していれば法規上問題ないが、雑音端子電圧は低いに超したことはない。ＬＥＤ点灯装置から発生するノイズが高ければ他の電子機器などの誤動作を引き起こしたり、逆に他の機器からのノイズを受けてＬＥＤ点灯装置自体が誤動作したり、故障することがある。
【発明の開示】
【発明が解決しようとする課題】
【０００８】  前記問題点を解決するためには、ＬＥＤ点灯装置の雑音端子電圧を法規格より大幅に低くする必要がある。内蔵ノイズフィルタを大きくし、多段のノイズフィルタにする必要があるが、ＬＥＤ制御電源の価格が高くなり、また寸法も大きくなる。
【課題を解決するための手段】
【０００９】  ＬＥＤ点灯装置を設置する現場の状況によっては、雑音端子電圧は法規格を満足する程度で良い場合がある。例えば倉庫など電子機器がない場所などである。本発明は、ＬＥＤ点灯装置の制御電源内に雑音端子電圧を法規格内に収めるノイズフィルタを内蔵し、ノイズの低減が必要な雰囲気では交流電源とＬＥＤ制御電源の間に外部フィルタを接続するようにした。
【発明の効果】
【００１０】  以上のように、本発明によればノイズの低減が必要な雰囲気では交流電源とＬＥＤ制御電源の間に外部フィルタを接続することにより、約１０ｄＢ／μＶ以上の雑音端子電圧が低下し、同一電源に接続されている電子機器に影響を与えず、また、他の電源からのノイズでＬＥＤ点灯装置が誤動作したり、故障することがない。
【発明を実施するための最良の形態】
【００１１】  以下、図面に基づき本発明の実施の形態を説明する。【００１２】  図１は、本発明の実施例を示す電源装置のブロック図である。【００１３】  交流電源と内蔵ノイズフィルタおよびインバータ回路からなる制御電源の間に図３に示すような外部フィルタが接続され、制御電源はＬＥＤ負荷に接続される。インバータ回路で発生するノイズは内蔵ノイズフィルタで低減され、さらに外部ノイズフィルタにより大幅に低減される。【００１４】  外部ノイズフィルタがないときの雑音端子電圧は最大４５ｄＢ／μＶであるが、外部ノイズフィルタを接続すると３２ｄＢ／μＶと大幅に低減する。このノイズの低下により他の電子機器に与える影響は殆どなくなり、かつ他の機器からのノイズ、例えば溶接機からの大きなノイズに対しても本ＬＥＤ点灯装置に影響を与えることがなくなる。
【図面の簡単な説明】
【００１５】
【図１】本発明の実施例を示すＬＥＤ点灯装置のブロック図。
【図２】従来の実施例を示すＬＥＤ点灯装置のブロック図。
【図３】本発明の外部ノイズフィルタ回路図の一実施例。
【図１】
2015225852.tif 000003
【図２】
2015225852.tif 000004
【図３】
2015225852.tif 000005